(57)【特許請求の範囲】
【請求項１】
一の横配管と他の横配管とを接続し、前記一の横配管から流通する固液混合物を前記他の横配管へ流通する接続管を備え、
前記接続管は、中間筒部を有する筒状部を備え、
前記筒状部の一端部は、前記筒状部の内周面に沿って前記一の横配管の端部を挿入可能に、前記中間筒部の一端部の内径に対して拡径した内径を有する内周面大径部を有し、
前記筒状部の他端部は、前記筒状部の内周面に沿って前記他の横配管の端部を挿入可能に、前記中間筒部の他端部の内径に対して拡径した内径を有する内周面大径部を有し、
前記筒状部の一端部の内周面大径部と他端部の内周面大径部とは、前記中間筒部により接続され、
前記筒状部の一端部側の前記中間筒部の一端部の内径は、前記筒状部の他端部側の前記中間筒部の他端部の内径よりも大きく、
前記中間筒部の一端部の内周面と、前記筒状部の一端部の前記内周面大径部の内周面とは、一端部側段部を形成し、前記一端部側段部における段差は、所定の値未満であり、
前記中間筒部の他端部の内周面と、前記筒状部の他端部の前記内周面大径部の内周面とは、他端部側段部を形成し、前記他端部側段部における段差は、所定の値を超え、
前記所定の値は、前記横配管の端部の厚さである、横配管接続構造。
【請求項２】
前記筒状部の一端部の内周面大径部の内径の値と、前記筒状部の他端部の内周面大径部の内径の値とは、同一である請求項１に記載の横配管接続構造。
【請求項３】
前記中間筒部の内周面は、前記中間筒部の一端部から、前記中間筒部の他端部へ至るまで、一定の割合で縮径している請求項１又は請求項２に記載の横配管接続構造。
【請求項４】
前記接続管は、一端部が前記中間筒部の側面に接続され、他端部から固液混合物が流入して固液混合物を前記筒状部へ流通するガイド部を有し、
前記ガイド部の一端部は、前記一の横配管及び他の横配管において流通する固液混合物の流通方向において、前記他端部側段部まで延びている請求項１〜請求項３のいずれかに記載の横配管接続構造。
【請求項５】
請求項１〜請求項４のいずれかに記載の横配管接続構造を備え、
前記接続管は、便器装置に接続され、前記便器装置から前記接続管へ固液混合物が流入し、
前記横配管は、複数の前記便器装置にそれぞれ接続された接続管同士を連結し、
前記横配管は、複数の前記横配管の一端部から他端部に向って傾斜して配置されているトイレ設備。
【発明の詳細な説明】
【技術分野】
【０００１】
本発明は、横配管同士を接続する横配管接続構造、及び、当該横配管接続構造を備えるトイレ設備に関する。
【背景技術】
【０００２】
従来より、複数連立するブースを備えたパブリックトイレ設備の各ブースにおいて、トイレ室の壁に取り付けられた壁掛け式の便器装置が知られている（例えば、特許文献１参照）。便器装置は便器本体を有しており、便器本体は、便鉢と、便鉢に排泄された固液混合物としての汚物を便器本体から排出する便器排水路出口とを有している。便器排水路出口の開口部には、蛇腹状を有する蛇腹状管部材の一端部が接続されており、蛇腹状管部材の他端部は、トイレ室の壁の内部において略水平に延びるように配置された排水管（横配管）同士を接続する接続管に接続される。便器装置から蛇腹状管部材及び接続管を通して横配管に流入した汚物は、便器装置から排出される勢いによって、横配管において横配管の上流側から下流側へと流通する。
【先行技術文献】
【特許文献】
【０００３】
【特許文献１】特開２０１０−１０１４９５号公報
【発明の概要】
【発明が解決しようとする課題】
【０００４】
横配管は、接続管の内周面に沿って接続管に挿入されることより、接続管に接続される。このため、汚物の流路である、横配管の内周面、及び、接続管の内周面により取り囲まれる空間において、横配管の端部の内周面と接続管の内周面との間に段差が形成されることがある。固体混合物である汚物のうちの固体分や紙は、この段差によって流れが阻害されて引っ掛かり、停滞して流れなくなる。特に、壁掛け便器が、オフィスビルなどの３〜５連立等で並んだトイレブースで使用される場合には、便器装置の使用頻度が戸建の場合よりも多い。このため、横配管の途中で汚物・紙が停滞すると、排水不良（排水管内での詰まり等）の懸念が高まるため、オフィスビル等では、汚物・紙を、階下まで落とす縦管まで、横配管の内部において搬送されることが重要である。
【０００５】
さらに近年の節水化に伴い水量が減ることにより、汚物・紙を搬送する搬送性能が落ちるため、さらに、汚物・紙が、階下まで落とされる縦管まで搬送されることの重要度が増しており、節水化しても搬送性能を低下しないようにするには、流下する汚物・紙の勢いを殺さずに下流側へ導くことが必要となる。
【０００６】
本発明は、横配管の端部の内周面と接続管の内周面との間の段差に汚物等が引っ掛かりにくい、横配管接続構造、及び、トイレ設備を提供することを目的とする。
【課題を解決するための手段】
【０００７】
上記目的を達成するため本発明は、一の横配管（例えば、後述の上流側の横配管２００−１）と他の横配管（例えば、後述の下流側の横配管２００−２）とを接続し、前記一の横配管から流通する固液混合物を前記他の横配管へ流通する接続管（例えば、後述の接続管５０）を備え、前記接続管は、中間筒部（例えば、後述の中間筒部５３）を有する筒状部（例えば、後述の筒状部５１）を備え、前記筒状部の一端部は、前記筒状部の内周面に沿って前記一の横配管の端部を挿入可能に、前記筒状部の一端部近傍の部分の内径に対して拡径した内径を有する内周面大径部（例えば、後述の一端部の内周面大径部５１１）を有し、前記筒状部の他端部は、前記筒状部の内周面に沿って前記他の横配管の端部を挿入可能に、前記筒状部の他端部近傍の部分の内径に対して拡径した内径を有する内周面大径部（例えば、後述の他端部の内周面大径部５２１）を有し、前記筒状部の一端部の内周面大径部と他端部の内周面大径部とは、前記中間筒部により接続され、前記筒状部の一端部側の前記中間筒部の一端部の内径は、前記筒状部の他端部側の前記中間筒部の他端部の内径よりも大きく、前記中間筒部の一端部の内周面と、前記筒状部の一端部の前記内周面大径部の内周面とは、一端部側段部（例えば、後述の一端部側段部５０１）を形成し、一端部側段部における段差（例えば、後述の高さの差の値Ｈ１）は、所定の値（例えば、後述の厚さＴ１）未満であり、前記中間筒部の他端部の内周面と、前記筒状部の他端部の前記内周面大径部の内周面とは、他端部側段部（例えば、後述の他端部側段部５０２）を形成し、他端部側段部における段差（例えば、後述の高さの差の値Ｈ２）は、所定の値を超える、横配管接続構造を提供する。
【０００８】
また、前記筒状部の一端部の内周面大径部の内径（例えば、後述の内径Ｄ１２）の値と、前記筒状部の他端部の内周面大径部の内径（例えば、後述の内径Ｄ２２）の値とは、同一であることが好ましい。
【０００９】
また、前記中間筒部の内周面は、前記中間筒部の一端部から、前記中間筒部の他端部へ至るまで、一定の割合で縮径していることが好ましい。また、前記接続管は、一端部が前記中間筒部の側面に接続され、他端部から固液混合物が流入して固液混合物を前記筒状部へ流通するガイド部（例えば、後述のガイド部５５）を有し、前記ガイド部の一端部は、前記一の横配管及び他の横配管において流通する固液混合物の流通方向において、前記他端部側段部まで延びていることが好ましい。
【００１０】
また、本発明は、上記いずれかに記載の横配管接続構造を備え、前記接続管は、便器装置（例えば、後述の便器装置１００）に接続され、前記便器装置から前記接続管へ固液混合物が流入し、前記横配管は、複数の前記便器装置にそれぞれ接続された接続管同士を連結し、前記横配管は、複数の前記横配管の一端部から他端部に向って傾斜して配置されているトイレ設備（例えば、後述のパブリックトイレ設備１）を提供する。
【発明の効果】
【００１１】
本発明によれば、横配管の端部の内周面と接続管の内周面との間の段差に汚物等が引っ掛かりにくい、横配管接続構造、及び、トイレ設備を提供することができる。
【図面の簡単な説明】
【００１２】
【図１】本発明の一実施形態に係る、パブリックトイレ設備１を示す概略図である。
【図２】本発明の一実施形態に係る、器具としての便器装置１００と横配管２００との接続構造を示す斜視図である。
【図３】本発明の一実施形態に係る、排水管接続構造を構成する接続管５０及び蛇腹状管部材７０と、を示す斜視図である。
【図４】本発明の一実施形態に係る、排水管接続構造を構成する接続管５０及び蛇腹状管部材７０と、を示す側面図である。
【図５】本発明の一実施形態に係る、排水管接続構造を構成する接続管５０及び蛇腹状管部材７０と、を示す正面図である。
【図６】本発明の一実施形態に係る、排水管接続構造を構成する接続管５０及び蛇腹状管部材７０と、を示す平面図である。
【図７】本発明の一実施形態に係る、排水管接続構造を構成する接続管５０によって一の横配管２００−１と他の横配管２００−２とが接続されている様子を示す断面図である。
【図８】本発明の一実施形態に係る、排水管接続構造を構成する接続管５０を示す斜視図である。
【発明を実施するための形態】
【００１３】
以下、本発明の一実施形態について、図１〜図８を参照しながら説明する。なお、実施形態においては、接続管５０の筒状部５１からガイド部５５へと向う方向（図３の上方向）を上方向と定義し、その反対の方向を下方向と定義し、これらを左右方向と定義して説明する。
【００１４】
接続構造によって横配管２００に接続される器具は、便器装置１００であり、便器装置１００は、図１に示すように、複数連立するブース１−１、１−２、１−３を備えたパブリックトイレ設備１の各ブース１−１、１−２、１−３に１つずつ配置された壁掛け式の便器装置である。
【００１５】
図２に示すように、便器装置１００は、便器本体１０と、便座（図示せず）と、便蓋（図示せず）と、を備える。便座（図示せず）及び便蓋（図示せず）は、便器本体１０の上部に配置され、便器本体１０に対して開閉可能に取り付けられる。なお、便座及び便蓋については、便宜上図示を省略している。
【００１６】
便器本体１０は、トイレ室の壁１０１１に取り付けられている。便器本体１０は、衛生陶器により形成される。便器本体１０は、図２に示すように、便鉢１１と、吐水口としての第１吐水口（図示せず）と、第２吐水口（図示せず）と、洗浄水導水路（図示せず）と、を有する。洗浄水導水路（図示せず）は、洗浄水を、第１吐水口（図示せず）及び第２吐水口（図示せず）に向けて流通させる。第１吐水口（図示せず）及び第２吐水口（図示せず）は、洗浄水導水路（図示せず）を通して流通された洗浄水を、便鉢１１の内部に吐出する。そして、洗浄水は、便器排水路入口（図示せず）及び便器排水路出口１２１を介して便器装置１００の外部に排出される。
【００１７】
本実施形態の接続構造によって便器装置１００に接続される横配管２００は、複数の横配管２００同士が、接続構造を構成する接続管５０により互いに連結され接続された状態とされて、トイレ室の壁１０１１の裏側において、複数連立するブース１−１、１−２、１−３の全てに渡るように、即ち、複数連立するブース１−１、１−２、１−３の一端のブース１−１から他端のブース１−３に至るまで、配置されている。換言すれば、横配管２００は、複数の便器装置１００にそれぞれ接続された接続管５０同士を連結する。
【００１８】
横配管２００は、一端側から他端側に向って傾斜して配置されている。このため、接続管５０により互いに接続された横配管２００は、全体として、複数連立するブース１−１、１−２、１−３の一端のブース１−１から他端のブース１−３に至るまで、１／１００程度の勾配で傾斜して配置されている。接続管５０により互いに接続された横配管２００において、傾斜の上端部は、横配管２００を流通する固液混合物としての汚物の流通方向Ａ（以下「流通方向Ａ」と言う）における上流端であり、傾斜の下端部は、流通方向Ａにおける下流端である。下流端は、縦配管３００（図１参照）に接続されており、横配管２００を流通した汚物は、横配管２００の下流端から縦配管３００に流入する。
【００１９】
図２に示すように、排水管接続構造は、接続管５０と蛇腹状管部材７０とを備えており、横配管接続構造は、接続管５０を備えている。接続管５０は、一の横配管としての流通方向Ａにおける上流側の横配管２００−１と、他の横配管としての流通方向Ａにおける下流側の横配管２００−２とを接続し、上流側の横配管２００−１から流通する固液混合物を下流側の横配管２００−２へ流通する。
【００２０】
接続管５０は、一般に「チーズ」と呼ばれており、筒状部５１と、ガイド部５５とを有し、ポリ塩化ビニルにより一体成形されて構成されている。筒状部５１は、円筒形状を有している。図３、図７等に示すように、筒状部５１の一端部及び他端部は、それぞれ内周面大径部５１１、５２１を有しており、筒状部５１の一端部の内周面大径部５１１と他端部の内周面大径部５２１とは、中間筒部５３により接続されている。筒状部５１の一端部の内周面大径部５１１は、筒状部５１の一端部近傍の部分の内径Ｄ１１、即ち、内周面大径部５１１に接続されている中間筒部５３の一端部の内径Ｄ１１に対して拡径した内径Ｄ１２を有している。筒状部５１の他端部の内周面大径部５２１は、筒状部５１の他端部近傍の部分の内径Ｄ２１、即ち、内周面大径部５２１に接続されている中間筒部５３の他端部の内径Ｄ２１に対して拡径した内径Ｄ２２を有している。内径Ｄ１２の値と内径Ｄ２２の値とは、同一である。中間筒部５３の軸方向における長さは、１１３ｍｍ程度であり、中間筒部５３の一端部の内径Ｄ１１は、１０５ｍｍ程度であり、中間筒部５３の他端部の内径Ｄ２１は、９９ｍｍ程度である。
【００２１】
図２、図７に示すように、筒状部５１の一端部の内周面大径部５１１には、筒状部５１の内周面に沿って一の横配管としての、流通方向Ａにおける上流側の横配管２００−１の端部を挿入可能である。筒状部５１の他端部の内周面大径部５２１には、筒状部５１の内周面に沿って他の横配管としての、流通方向Ａにおける下流側の横配管２００−２の端部を挿入可能である。
【００２２】
前述のように、内周面大径部５１１、５２１は、内周面大径部５１１に接続されている中間筒部５３の一端部の内径Ｄ１１、内周面大径部５２１に接続されている中間筒部５３の他端部の内径Ｄ２１、に対して、拡径した内径Ｄ１２、Ｄ２２をそれぞれ有している。このため、筒状部５１の一端部の内周面大径部５１１と中間筒部５３の一端部との接続部分は、内径の差による一端部側段部５０１を構成している。同様に、筒状部５１の他端部の内周面大径部５２１と中間筒部５３の他端部との接続部分は、内径の差による他端部側段部５０２を構成している。
【００２３】
中間筒部５３の一端部の内周面の内径Ｄ１１と、筒状部５１の一端部の内周面大径部５１１の内径Ｄ１２との差の１／２の値、即ち、一端部側段部５０１における、中間筒部５３の一端部の内周面と、筒状部の一端部の内周面大径部５１１の内周面と、の高さの差の値Ｈ１は、所定の値未満である。また、中間筒部５３の他端部の内周面の内径Ｄ２１と、筒状部５１の他端部の内周面大径部５２１の内径Ｄ２２との差の１／２の値、即ち、他端部側段部５０２における、中間筒部５３の他端部の内周面と、筒状部５１の他端部の内周面大径部５２１の内周面と、の高さの差の値Ｈ２は、所定の値を超える。ここで、所定の値とは、具体的には、内周面大径部５１１、５２１に挿入される横配管２００の端部の厚さＴ１である（内径とは直径を意味するため、内径の差の１／２の値が内径の差により生ずる一端部側段部５０１、他端部側段部５０２の高さの値Ｈ１、Ｈ２であり、この高さと、横配管２００の端部の厚さＴ１と、を比較する）。例えば、一端部側段部５０１における段差と、他端部側段部５０２における段差との差が３ｍｍ以上あれば、上述の所定の値と、Ｈ１と、Ｈ２との大小関係は担保される。横配管２００としては、「ＪＩＳ  Ｋ  ６７４１」で規定されるポリ塩化ビニルパイプ「ＶＰ１００」が用いられる。
【００２４】
図７に示すように、中間筒部５３の一端部（内径Ｄ１１を有する部分）の内周面と中間筒部５３の他端部（内径Ｄ２１を有する部分）の内周面とは、連続的に接続されており、中間筒部５３の内周面は、中間筒部５３の一端部から、中間筒部５３の他端部へ至るまで、一定の割合で縮径している。即ち、中間筒部５３の軸心に沿った断面では、中間筒部５３の内周面は、中間筒部５３の一端部から、中間筒部５３の他端部へ至るまで、一定の割合で縮径するテーパー形状を有している。ここで「連続的に接続」とは、中間筒部５３の一端部の内周面と中間筒部５３の他端部の内周面との間の、中間筒部５３の内周面の部分には、凸部や凹部が形成されて不連続な形状となっておらず、中間筒部５３の軸心に沿った断面で見た場合には、例えば、図７に示すように、一直線状を有していることを意味する。従って、筒状部５１の一端部側の中間筒部５３の一端部の内径Ｄ１１は、筒状部５１の他端部側の中間筒部５３の他端部の内径Ｄ２１よりも大きい。
【００２５】
この構成により、前述のように接続管５０により互いに接続された横配管２００は、全体として流通方向Ａにおける上流側から下流側へ向って下るような勾配を有して傾斜して配置されているが、これに対して中間筒部５３には、この勾配が緩くなるような勾配が設けられている。本実施形態のように、横配管２００の勾配の値が小さい場合には、中間筒部５３において、流通方向Ａにおける下流側から上流側へ向って下るような逆勾配となるが、この場合であっても、逆勾配の値は小さく、また、中間筒部５３は、横配管２００と比較して中間筒部５３の軸方向における長さは短いため、横配管２００における汚物の流れを阻害するには至らない。
【００２６】
図３等に示すように、内周面大径部５１１、５２１の外側面には、目盛り５１３、５２３が形成されている。内周面大径部５１１、５２１の外側面の最上位置に、目盛り５１３、５２３の所定の値を合わせることにより、内周面大径部５１１、５２１を所定の回転角度として、接続管５０に接続される蛇腹状管部材７０の曲り具合を適切にすることができるように構成されている。また、中間筒部５３の側面には、流通方向Ａを示す記載５３５が形成されている。
【００２７】
ガイド部５５は、図７、図８に示すように、筒状部５１の中間筒部５３の側面から、中間筒部５３の外方、且つ、流通方向Ａにおける上流側に斜めに分岐して延びる管状を有しており、筒状部５１の軸心に平行な面で切断されたような形状を有している。従って、ガイド部５５の他端部５５２の開口は、筒状部５１の中間筒部５３の半径方向外方へ向って開口し、長手方向が流通方向Ａに平行な楕円形状を有している。
【００２８】
より詳細には、図７に示すように、ガイド部５５の一端部５５１は、流通方向Ａの下流側において、他端部側段部５０２に至るまで延びている。流通方向Ａの上流側におけるガイド部５５の他端部５５２の開口端縁５５３は、流通方向Ａの上流側における、筒状部５１の一端部の内周面大径部５１１の端縁に至るまで延びている。流通方向Ａの上流側のガイド部５５の側面５５５は、蛇腹状管部材７０の一端開口部７１に流入する汚物の流入方向Ｂ（図７における下方向、以下「流入方向Ｂ」と言う）に対して、流通方向Ａへ汚物の流れを変えるように、流通方向Ａの下流側へ向って傾斜している。これに対して流通方向Ａの下流側のガイド部５５の側面５５６は、ガイド部５５の他端部５５２から流入方向Ｂへ平行に延び、途中から流通方向Ａへ汚物の流れを変えるように、流通方向Ａの下流側へ向って傾斜している。
【００２９】
即ち、ガイド部５５の一端部（図７に示すガイド部５５の下端部）は、中間筒部５３の側面に接続され、ガイド部５５の他端部（図７に示すガイド部５５の上端部）は、蛇腹状管部材７０の他端開口部７２が接続され、蛇腹状管部材７０に流入した汚物が、ガイド部５５の他端部からガイド部５５の内部に流入し、ガイド部５５は、汚物を筒状部５１へ流通する。
【００３０】
図８に示すように、ガイド部５５の他端部の開口の周縁部には、蛇腹状管部材７０（図７参照）の他端開口部７２が接続されているときに、ガイド部５５の他端部の開口の周縁部から蛇腹状管部材７０の他端開口部７２が外れることを抑制するための滑り止め溝５５７が、ガイド部５５の他端部の開口を一周するように複数形成されている。
【００３１】
ガイド部５５の内部空間は、筒状部５１の中間筒部５３の内部空間に連通している。図４に示すように、流通方向Ａにおけるガイド部５５の上流側の外面と、下流側の外面には、リブ５５８、５５９が設けられている。リブ５５８、５５９は、その延長上に筒状部５１の軸心を含む位置関係を有する板状を有しており、ガイド部５５と筒状部５１とを掛け渡すように、ガイド部５５及び筒状部５１と一体成形されて接続されている。
【００３２】
図７等に示すように、蛇腹状管部材７０は、一端開口部７１と、他端開口部７２と、蛇腹状を有し一端開口部７１と他端開口部７２とを接続する中間部分７３と、を有しており、ゴムにより一体成形されて構成されている。一端開口部７１は、円環状を有しており、便器装置１００の便器排水路出口１２１（図２参照）に接続されている。他端開口部７２は、楕円環状を有しており、接続管５０のガイド部５５の他端部５５２の開口の周縁部の全体を覆うようにして、ガイド部５５の他端部５５２の開口の周縁部に接続されている。蛇腹状管部材７０は、便器装置１００からの固液混合物としての汚物を接続管５０へ流通する。
【００３３】
より詳細には、一端開口部７１は、一端開口部接続部７１１を有している。一端開口部接続部７１１は、便器装置１００の便器排水路出口１２１に接続可能に構成されており、一端開口部７１の開口端縁７１２からフランジ状に一端開口部７１の略半径方向外方へ広がり、そして更に、一端開口部７１の開口の軸方向へ延びる形状を有している。他端開口部７２は、他端開口部接続部７２１を有している。他端開口部接続部７２１は、接続管５０のガイド部５５の他端部（上端部）に接続可能に構成されており、他端開口部７２の開口端縁７２２からフランジ状に他端開口部７２の略半径方向外方へ広がり、そして更に、他端開口部７２の開口の軸方向へ延びる形状を有している。一端開口部７１の開口は、図６に示すように、流入方向Ｂにおいて（図７参照）、ガイド部５５の一端部寄りの部分の内面（側面５５５）に対向する。
【００３４】
中間部分７３は、蛇腹部７３１と、傾斜筒部７３５とを有している。蛇腹部７３１は、蛇腹部７３１の軸心方向に直交する方向で切った断面が円形又は楕円形を有する蛇腹状を有している。蛇腹部７３１の下端部は、蛇腹状管部材７０の他端開口部７２の開口端縁７２２に接続されており、蛇腹部７３１の上端部は、傾斜筒部７３５の下端部に接続されている。
【００３５】
蛇腹部７３１においては、図４、図７等に示すように、上端部から下端部に向うにつれて、流通方向Ａにおける蛇腹部７３１の上流端部（図７に示す左側の端部）は同一の位置にあるが、流通方向Ａにおける蛇腹部７３１の下流端部は、上端部から下端部に向うにつれて、徐々に流通方向Ａの下流側へ広がる形状を有している。従って、流通方向Ａの上流側における、蛇腹状管部材７０の一端開口部７１の端縁（図７に示す左側の端縁）は、蛇腹状管部材７０の一端開口部７１に流入する固液混合物の流入方向Ｂ（図７に示す下方向）から蛇腹状管部材７０の一端開口部７１を見たときに、流通方向Ａの上流側における、蛇腹状管部材７０の中間部分７３の内方へ突出する蛇腹状管部材７０の中間部分７３の内周面の突出端部（図７に示す中間部分７３の蛇腹部７３１の左側の蛇腹状の内周面のうちの、中間部分７３の内方へ最も突出した部分）、及び、流通方向Ａの上流側における、蛇腹状管部材７０の他端開口部７２の開口端縁７２２（図７に示す左側の開口端縁７２２）に一致する位置関係を有する。
【００３６】
図５等に示すように、傾斜筒部７３５は、蛇腹部７３１の軸心に対して所定の角度で傾斜する軸心を有する略筒状を有している。従って、図５等に示すように、傾斜筒部７３５の傾斜する方向の側の側面（図５に示す左側の側面）は短く構成され、傾斜筒部７３５の傾斜する方向の側とは反対の側の側面（図５に示す右側の側面）は長く構成されている。長く構成された側面は、部分的に蛇腹状を有している。
【００３７】
図７等に示すように、蛇腹状管部材７０において、他端開口部７２は一端開口部７１よりも、開口の面積が大きく構成されている。図７に示すように、流通方向Ａの上流側における、蛇腹状管部材７０の一端開口部７１の端縁は、流通方向Ａの上流側における、蛇腹状管部材７０の他端開口部７２が接続される接続管５０の開口部の端縁、即ち、流通方向Ａの上流側におけるガイド部５５の他端部の開口端縁５５３よりも、僅かに流通方向Ａの下流側に位置している。
【００３８】
以上の構成を備える本実施形態に係る接続構造を備えるパブリックトイレ設備１における、器具としての便器装置１００からの横配管２００への汚物等の流れについて説明する。
便器装置１００の使用者が便器装置１００を使用し終わると、洗浄水は、洗浄水導水路（図示せず）によって、第１吐水口（図示せず）及び第２吐水口（図示せず）に向けて流通させられ、第１吐水口（図示せず）及び第２吐水口（図示せず）から、便鉢１１の内部に吐出される。そして、洗浄水は、汚物や紙とともに便器排水路入口（図示せず）及び便器排水路出口１２１（図２参照）を介して便器装置１００の外部に排出され、蛇腹状管部材７０の一端開口部７１（図７参照）から蛇腹状管部材７０の内部へ流入する。
【００３９】
このとき、前述のように、蛇腹状管部材７０の一端開口部７１の端縁は、蛇腹状管部材７０の一端開口部７１に流入する固液混合物の流入方向Ｂ（図７に示す下方向）において、蛇腹状管部材７０の中間部分７３の蛇腹部７３１の内周面、及び、蛇腹状管部材７０の他端開口部７２の開口端縁７２２に一致する位置関係を有するため、蛇腹状管部材７０の一端開口部７１から流入した汚物や紙は、蛇腹部７３１の内周面に直接衝突せずに、蛇腹状管部材７０を流通して通過し、接続管５０のガイド部５５の他端部の開口に流入する。
【００４０】
ガイド部５５に流入したガイド部５５の側面５５５の内面に衝突することにより、流通方向Ａにおける下流方向へ流れの向きが変えられ、ガイド部５５によって、蛇腹状管部材７０に流入した固液混合物としての洗浄水及び汚物等は、流通方向Ａにおいて蛇腹状管部材７０の他端開口部７２よりも下流側の筒状部５１の部分へ向けて流通し、ガイド部５５の一端部の開口から中間筒部５３へ流入する。この際、ガイド部５５の一端部は、流通方向Ａの下流側において、他端部側段部５０２に至るまで延びているため、ガイド部５５の一端部の開口から中間筒部５３へ流入する洗浄水及び汚物等は、接続管５０の他端部の内周面大径部５２１に接続されて他端部側段部５０２に位置している、流通方向Ａの下流側の横配管２００−２の端部の端縁よりも、流通方向Ａの下流側を狙うように、図７の斜め右下方向へ向って流入する。そして、横配管２００−２へ流入した汚物は、横配管２００−２において流通方向Ａの下流側へ流通し、横配管２００の最下流端部に接続されている縦配管３００へ流通する。
【００４１】
接続管５０及び横配管２００において汚物等が流通する際には、汚物等は、一端部側段部５０１と他端部側段部５０２とを通過する。この際、一端部側段部５０１においては、流通方向Ａの上流側の横配管２００−１の端部の内周面の内径Ｄ１３は、流通方向Ａの下流側に位置する筒状部５１の内周面（中間筒部５３の内周面）の内径Ｄ１１よりも小さく、流通方向Ａの上流側の横配管２００−１の端部の内周面は、中間筒部５３の端部の半径方向内方に位置している。
【００４２】
また、他端部側段部５０２においては、下流側の横配管２００−２に対して、流通方向Ａの上流側に位置する筒状部５１の内周面の内径Ｄ２１の方が、流通方向Ａの下流側の横配管２００−２の端部の内周面の内径Ｄ１３よりも小さく、横配管２００−２の半径方向内方に位置している。このため、筒状部５１を流れる汚物や紙等は、一端部側段部５０１、他端部側段部５０２において引っ掛かりにくく、横配管２００を通して縦配管３００へ滞りにくく流通しやすい。
【００４３】
上記構成の実施形態による、排水管接続構造、及び、トイレ設備によれば、以下のような効果を得ることができる。
排水管接続構造は、一の横配管２００としての上流側の横配管２００−１と他の横配管２００としての下流側の横配管２００−２とを接続し、上流側の横配管２００−１から流通する固液混合物を下流側の横配管２００−２へ流通する接続管５０と、一端開口部７１と他端開口部７２と蛇腹状を有し一端開口部７１と他端開口部７２とを接続する中間部分７３とを有し、一端開口部７１は便器装置１００に接続され、他端開口部７２は接続管５０に接続され、便器装置１００からの固液混合物を接続管５０へ流通する蛇腹状管部材７０と、を備える。
一の横配管２００及び他の横配管２００において流通する固液混合物の流通方向Ａの上流側における、蛇腹状管部材７０の一端開口部７１の開口端縁７１２は、流通方向Ａの上流側における、蛇腹状管部材７０の他端開口部７２が接続される接続管５０の開口部の開口端縁５５３よりも、流通方向Ａの下流側に位置する。
【００４４】
この構成により、蛇腹状管部材７０に汚物等が流入する際に、蛇腹状管部材７０の蛇腹状の内周面に汚物等が衝突しにくく、水の乱流の発生を抑えることができ、節水化されて汚物等を流す水の量が減少した場合であっても、汚物の流速が低下することを抑えることができる。このため、流下する汚物等の勢いを維持して下流側へ導くことができる。
【００４５】
また、流通方向Ａの上流側における、蛇腹状管部材７０の一端開口部７１の端縁は、蛇腹状管部材７０の一端開口部７１に流入する固液混合物の流入方向Ｂから蛇腹状管部材７０の一端開口部７１を見たときに、流通方向Ａの上流側における、蛇腹状管部材７０の中間部分７３の内方へ突出する蛇腹状管部材７０の中間部分７３の内周面の突出端部、及び、流通方向Ａの上流側における、蛇腹状管部材７０の他端開口部７２の端縁に一致する位置関係を有する。この構成により、蛇腹状管部材７０における流通方向Ａの上流側において蛇腹状管部材７０に流入した汚物等が不必要に上流側へ膨らんで流れることを抑えることができる。このため、流通方向Ａの蛇腹状管部材７０の上流側において、水の乱流の発生を抑えることができる。
【００４６】
また、接続管５０は、筒状部５１と、ガイド部５５と、を有する。
ガイド部５５の一端部は、筒状部５１の側面に接続され、ガイド部５５の他端部は、蛇腹状管部材７０の他端開口部７２に接続され、流入方向Ｂにおいて、蛇腹状管部材７０の一端開口部７１の開口は、ガイド部５５の一端部寄りの部分の内面（側面５５５）に対向し、ガイド部５５は、蛇腹状管部材７０に流入した固液混合物を、流通方向Ａにおいて蛇腹状管部材７０の他端開口部７２よりも下流側の筒状部５１の部分へ向けて流通する。
筒状部５１の他端部は、筒状部５１の内周面に沿って他の横配管２００の端部を挿入可能に、筒状部５１の他端部近傍の部分の内径に対して拡径した内周面大径部５２１を有し、内周面大径部５２１の内周面と筒状部５１の他端部近傍の部分の内周面（中間筒部５３の内周面）とは、内径の差による他端部側段部５０２を形成する。ガイド部５５の一端部は、流通方向Ａにおいて、他端部側段部５０２まで延びている。
【００４７】
この構成により、ガイド部５５へ流入した汚物等を、ガイド部５５によって案内して、他端部側段部５０２よりも下流側を狙うように、他端部側段部５０２における接続管５０の軸心寄りの方向へ流すことができる。このため、主として汚物等を他端部側段部５０２に衝突するように流さずに、極力他端部側段部５０２を回避するように汚物等を流すことができる。この結果、他端部側段部５０２に汚物等を引っ掛かりにくくすることができる。
【００４８】
また、パブリックトイレ設備１においては、器具は、便器装置１００を構成し、横配管２００は、複数の便器装置１００にそれぞれ接続された接続管５０同士を連結し、横配管２００は、複数の横配管２００の一端側から他端側に向って下るように傾斜して配置されている。この構成により、使用頻度の高いパブリックトイレ設備１においても、排水不良の懸念が少ない状態で、便器装置１００を使用することができる。
【００４９】
また、上記構成の実施形態による、横配管接続構造によれば、以下のような効果を得ることができる。
横配管接続構造は、一の横配管２００としての上流側の横配管２００−１と他の横配管２００としての下流側の横配管２００−２とを接続し、上流側の横配管２００−１から流通する固液混合物を下流側の横配管２００−２へ流通する接続管５０を備える。接続管５０は、中間筒部を有する筒状部５１を備えている。筒状部５１の一端部は、筒状部５１の内周面に沿って上流側の横配管２００−１の端部を挿入可能に、筒状部５１の一端部近傍の部分の内径に対して拡径した内径を有する内周面大径部５１１を有している。筒状部５１の他端部は、筒状部５１の内周面に沿って下流側の横配管２００−２の端部を挿入可能に、筒状部５１の他端部近傍の部分の内径に対して拡径した内径を有する内周面大径部５２１を有している。
筒状部５１の一端部の内周面大径部５１１と他端部の内周面大径部５２１とは、中間筒部５３により接続される。筒状部５１の一端部側の中間筒部５３の一端部の内径Ｄ１１は、筒状部５１の他端部側の中間筒部５３の他端部の内径Ｄ２１よりも大きい。中間筒部５３の一端部の内周面と、筒状部５１の一端部の内周面大径部５１１の内周面とは、一端部側段部５０１を形成する。一端部側段部５０１における段差、即ち、中間筒部５３の一端部の内周面の内径Ｄ１１と、筒状部５１の一端部の内周面大径部５１１の内径との差（高さＨ１）は、所定の値未満である。中間筒部５３の他端部の内周面と、筒状部５１の他端部の内周面大径部５２１の内周面とは、他端部側段部５０２を形成する。他端部側段部５０２における段差、即ち、中間筒部５３の他端部の内周面の内径と、筒状部５１の他端部の内周面大径部５２１の内径との差（高さＨ２）は、所定の値を超える。
【００５０】
この構成により、所定の値の厚さＴ１を有する上流側の横配管２００−１の端部を筒状部５１の一端部の内周面大径部５１１に挿入すると、上流側の横配管２００−１の端部の内周面と、筒状部５１の一端部近傍の中間筒部５３の内周面とにより段差が生ずる。この段差においては、流通方向Ａの上流側の横配管２００−１の端部の内周面の内径の方が、流通方向Ａの下流側に位置する筒状部５１の内周面（中間筒部５３の内周面）の内径よりも小さく、中間筒部５３の内周面の半径方向内方に位置しているため、上流側の横配管２００−１から流れる汚物や紙等が、この段差に引っ掛かりにくい。
【００５１】
同様に、所定の値の厚さＴ１を有する下流側の横配管２００−２の端部を筒状部５１の他端部の内周面大径部５２１に挿入すると、下流側の横配管２００−２の端部の内周面と、筒状部５１の他端部近傍の中間筒部５３の内周面とにより段差が形成される。この段差においては、下流側の横配管２００−２に対して、流通方向Ａの上流側に位置する筒状部５１の内周面（中間筒部５３の内周面）の内径の方が、流通方向Ａの下流側の横配管２００−２の端部の内周面の内径よりも小さく、横配管２００及び筒状部５１の半径方向内方に位置しているため、筒状部５１を流れる汚物や紙等が、この段差に引っ掛かりにくい。
【００５２】
このため、節水化されて汚物等を流す水の量が減少した場合であっても、汚物や紙の流れが、一端部側段部５０１や他端部側段部５０２において阻害されて引っ掛かり、停滞して流れなくなることを抑え、流下する汚物・紙の勢いを殺さず下流側へ導くことができ、縦管まで汚物・紙を搬送されやすくすることができる。
【００５３】
また、筒状部５１の一端部の内周面大径部５１１の内径Ｄ１２の値と、筒状部５１の他端部の内周面大径部５２１の内径Ｄ２２の値とは、同一である。このため、所定の値の厚さＴ１と、同一の内径Ｄ１２、Ｄ２２と等しい外径と、をそれぞれ有する上流側の横配管２００−１の端部、下流側の横配管２００−２の端部を、一端部側段部５０１、他端部側段部５０２へそれぞれ挿入することにより、確実に段差に汚物や紙等が引っ掛かりにくい構成とすることができる。
【００５４】
また、中間筒部５３の内周面は、中間筒部５３の一端部から、中間筒部５３の他端部へ至るまで、一定の割合で縮径している。このような構成を有し、中間筒部５３において逆勾配を有する場合であっても、中間筒部５３と横配管２００との間の段差に汚物や紙が引っ掛かりやすい場合と比較して、流下する汚物・紙の勢いが大きく損なわれることを抑えることができる。
【００５５】
本発明は上記実施形態に限定されるものではなく、本発明の目的を達成できる範囲での変形、改良等は本発明に含まれる。
例えば、接続管、蛇腹状管部材、便器装置、横配管等の構成は、上記実施形態における接続管５０、蛇腹状管部材７０、便器装置１００、横配管２００等の構成に限定されない。例えば、本実施形態においては、便器装置１００は壁掛け式の便器装置により構成されていたが、壁掛け式に限定されない。また、接続管５０は便器装置１００に接続されていたが、接続管が接続される対象は、便器装置に限定されない。
【００５６】
また、流通方向Ａの上流側における、蛇腹状管部材７０の一端開口部７１の端縁は、流通方向Ａの上流側における、蛇腹状管部材７０の他端開口部７２が接続される接続管５０の開口部の端縁、即ち、流通方向Ａの上流側におけるガイド部５５の他端部の開口端縁５５３よりも、僅かに流通方向Ａの下流側に位置していたが、この構成に限定されない。例えば、流通方向Ａの上流側における、蛇腹状管部材７０の一端開口部７１の端縁は、流通方向Ａの上流側における、蛇腹状管部材７０の他端開口部７２が接続される接続管５０の開口部の端縁、即ち、流通方向Ａの上流側におけるガイド部５５の他端部の開口端縁５５３と一致する位置にあってもよい。
【００５７】
また、例えば、本実施形態においては、流通方向Ａの上流側における、蛇腹状管部材７０の一端開口部７１の端縁（開口端縁７１２）は、蛇腹状管部材７０の一端開口部７１に流入する固液混合物の流入方向Ｂから蛇腹状管部材７０の一端開口部７１を見たときに、流通方向Ａの上流側における、蛇腹状管部材７０の中間部分７３の内方へ突出する蛇腹状管部材７０の中間部分７３の内周面の突出端部、及び、蛇腹状管部材７０の他端開口部７２の端縁（開口端縁７２２）に一致する位置関係を有していたが、この構成に限定されない。
例えば、流通方向Ａの上流側における、蛇腹状管部材７０の一端開口部７１の端縁（開口端縁７１２）は、蛇腹状管部材７０の一端開口部７１に流入する固液混合物の流入方向Ｂから蛇腹状管部材７０の一端開口部７１を見たときに、流通方向Ａの上流側における、蛇腹状管部材７０の中間部分７３の内方へ突出する蛇腹状管部材７０の中間部分７３の内周面の突出端部、又は、蛇腹状管部材７０の他端開口部７２の端縁（開口端縁７２２）に一致する位置関係を有していてもよいし、又は、蛇腹状管部材７０の中間部分７３の内方へ突出する蛇腹状管部材７０の中間部分７３の内周面の突出端部、及び、流通方向Ａの上流側における、蛇腹状管部材７０の他端開口部７２の端縁（開口端縁７２２）が、蛇腹状管部材７０の一端開口部７１の端縁（開口端縁７１２）よりも流通方向Ａの上流側（図７における左側）に位置して、一端開口部７１の端縁（開口端縁７１２）が、蛇腹状管部材７０の中間部分７３の内周面の突出端部、及び、蛇腹状管部材７０の他端開口部７２の開口端縁７２２に重ならない位置関係を有してもよい。
【００５８】
また、本実施形態では、所定の値は、内周面大径部５１１、５２１に挿入される上流側及び下流側の横配管２００−１、２００−２の端部の厚さＴ１に一致しており、内周面大径部５１１に挿入される上流側の横配管２００−１の端部の厚さＴ１と、内周面大径部５２１に挿入される下流側の横配管２００−２の端部の厚さＴ１とは同一であったが、この構成に限定されない。例えば、一端部の内周面大径部５１１に挿入される上流側の横配管２００−１の端部の厚さと、他端部の内周面大径部５２１に挿入される下流側の横配管２００−２の端部の厚さとは、異なっていてもよい。また、本実施形態では、横配管２００としては、「ＪＩＳ  Ｋ  ６７４１」で規定されるポリ塩化ビニルパイプ「ＶＰ１００」が用いられたが、これに限定されない。例えば、横配管として、「ＶＰ７５」が用いられてもよく、これに応じて、内径Ｄ１１、Ｄ２１の値が適宜設定されてもよい。
【符号の説明】
【００５９】
１…パブリックトイレ設備（トイレ設備）
５０…接続管
５１…筒状部
５３…中間筒部
５５…ガイド部
７０…蛇腹状管部材
７１…一端開口部
７２…他端開口部
７３…中間部分
１００…便器装置（器具）
２００…横配管
５０１…一端部側段部
５０２…他端部側段部
５１１、５２１…内周面大径部
５５１…一端部
５５３…開口端縁（端縁）
７１２…開口端縁（端縁）
７２２…開口端縁（端縁）
Ａ…流通方向
Ｂ…流入方向
Ｈ１、Ｈ２…高さの差
Ｔ１…厚さ（所定の値）
【図１】
0006655946.tif 000002
【図２】
0006655946.tif 000003
【図３】
0006655946.tif 000004
【図４】
0006655946.tif 000005
【図５】
0006655946.tif 000006
【図６】
0006655946.tif 000007
【図７】
0006655946.tif 000008
【図８】
0006655946.tif 000009